(57)【特許請求の範囲】
【請求項１】
複数本の走査線と、
複数本のデータ線と、
複数の画素単位と、からなる配列基板であって、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
２Ｄ走査モードにおいて、前記スイッチ１制御信号及びスイッチ２制御信号は、持続したハイレベル信号であり、
３Ｄ走査モードにおいて、前記スイッチ１制御信号及びスイッチ２制御信号は同期するとともに、それぞれ奇数パルス列信号と偶数パルス列信号とであり、且つ前記奇数／偶数パルス列信号のパルス幅は、前記走査信号の長さのＮ−１倍に等しい
ことを特徴とする配列基板。
【請求項２】
複数本の走査線と、
複数本のデータ線と、
複数の画素単位と、からなる配列基板であって、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
２Ｄ走査モードにおいて、前記スイッチ１制御信号及びスイッチ２制御信号は、持続したハイレベル信号であり、
３Ｄ走査モードにおいて、前記スイッチ１制御信号及びスイッチ２制御信号は同期するとともに、極性の異なるパルス列信号であり、且つ前記パルス列信号のパルス幅は、前記走査信号の長さと等しく、同時に、Ｎが奇数／偶数であれば、前記スイッチ１制御信号は偶数／奇数パルス列信号である
ことを特徴とする配列基板。
【請求項３】
請求項１または請求項２に記載の配列基板において、
前記補助制御スイッチは、ファンアウト領域に設けられる
ことを特徴とする配列基板。
【請求項４】
請求項１から請求項３のいずれかに記載の配列基板において、
前記メイン領域制御スイッチと、前記サブ領域制御スイッチと、前記共有制御スイッチと、前記補助制御スイッチと、はいずれも薄膜トランジスタスイッチである
ことを特徴とする配列基板。
【請求項５】
請求項１から請求項４のいずれかに記載の配列基板を具備した液晶表示パネル。
【請求項６】
配列基板を具備した液晶表示パネルの駆動方法であって、
前記配列基板は、複数本の走査線と、
複数本のデータ線と、
複数の画素単位と、からなり、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
当該液晶表示パネルの駆動方法は、
２Ｄ走査モードにおいて、前記スイッチ１制御信号及びスイッチ２制御信号は、持続したハイレベル信号とし、
３Ｄ走査モードにおいて、前記スイッチ１制御信号及びスイッチ２制御信号は同期するとともに、それぞれ奇数パルス列信号と偶数パルス列信号とであり、且つ前記奇数／偶数パルス列信号のパルス幅は、前記走査信号の長さのＮ−１倍に等しい
ことを特徴とする液晶表示パネルの駆動方法。
【請求項７】
配列基板を具備した液晶表示パネルの駆動方法であって、
前記配列基板は、
複数本の走査線と、
複数本のデータ線と、
複数の画素単位と、からなり、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
当該液晶表示パネルの駆動方法は、
２Ｄ走査モードにおいて、前記スイッチ１制御信号及びスイッチ２制御信号は、持続したハイレベル信号とし、
３Ｄ走査モードにおいて、前記スイッチ１制御信号及びスイッチ２制御信号は同期するとともに、極性の異なるパルス列信号であり、且つ前記パルス列信号のパルス幅は、前記走査信号の長さと等しく、同時に、Ｎが奇数／偶数であれば、前記スイッチ１制御信号は偶数／奇数パルス列信号である
ことを特徴とする液晶表示パネルの駆動方法。
【発明の詳細な説明】
【技術分野】
【０００１】
本請求は、２０１４年１１月１７日に提出した中国特許申請番号ＣＮ２０１４１０６５５３４８．４・発明名称「配列基板と液晶表示パネル及びその駆動方法」の先願優先権を要求し、前記先願の内容は引用の方法で本文中に合併される。
【０００２】
本発明は、液晶ディスプレイ技術に関し、特に、左右の目で異なる輝度差を改善できる配列基板と液晶表示パネル及びその駆動方法に関する。
【背景技術】
【０００３】
既存の２Ｄディスプレイ技術に比べて、３Ｄ映像表示技術は、より鮮やかな立体映像を提供することができ、それゆえに、現在のディスプレイ技術開発の主流となっている。液晶ディスプレイ装置は、形が薄く、軽量で、省電力かつ放射線汚染がないなどの長所があり、現在各業界は、ホームエンタテインメントへとシフトしている中で、液晶ディスプレイ装置は、今やディスプレイの主流となっている。それゆえ、以前の２Ｄディスプレイ技術を基礎に発展してきた３Ｄ映像表示の液晶ディスプレイ装置も新たな開発ポイントとなった。
【０００４】
現在の３Ｄ画像表示技術でよく用いられるのは、シャッター眼鏡（ｓｈｕｔｔｅｒ  ｇｌａｓｓｅｓ）技術である。前記技術は、時間分割効果を採用し、３Ｄメガネの左レンズ及び右レンズを交互に順次オンにする。つまり、右レンズがオンの時、液晶ディスプレイ装置は、同時に右目の映像を出力し右目に提供し、左レンズがオンの時、液晶ディスプレイ装置は、同時に左眼の映像の映像を出力し左目に提供し、それから、左右の目の視野角の角度差によって、映像を見ている人が、左右の目の像を、被写界深度及び立体感を備えた三次元映像として、脳内で一致させることができる。
【０００５】
液晶ディスプレイ装置は、通常交流方式によって、液晶分子を回転させるが、液晶分子の回転角度を変えることによって、異なるグレースケールの映像を表示する。これは、直流方式によって液晶分子を回転させると、液晶分子内の移動イオンが同じ方向へ移動し、別の電界を生じるため、液晶分子の回転に影響し、また直流による焼き付き現象が生じてしまうからである。このような焼き付き現象が画面の表示品質に影響するのを防ぐため、液晶ディスプレイは、通常、映像情報データ信号の極性を変えることによって、画素単位の画素電極に作用して、電圧周期性を変化させる。しかし、シャッター眼鏡と協働する３Ｄ液晶表示パネルの場合は、もしシングルフレーム反転駆動方式を採用して映像データ信号の極性を変えると、同じような直流方式による電荷残留が生じるため、３Ｄ焼き付き現象（ＩＳ）を引き起こす。
【０００６】
仮に、一台の２５６個のグレースケールを表示する液晶ディスプレイ装置があり、現れる透明な明るい画面（２５５枚の白画面）をＬ２５５とし、現れる不透明な暗い画面（０枚の黒画面）をＬ０とする。白画面の正負極性の駆動電圧は、それぞれ７Ｖ及び５Ｖであり、黒画面の正負極性の駆動電圧は、それぞれ１Ｖ及び１１Ｖであり、共通電極電圧は６Ｖである。そこで、パネル内のある一つの画素電極について、前記電圧及び前記電圧と共通の電極電圧の値の差の推移状況を、下の表に示す。
【０００７】
【表１】
0006488381.tif 000002
【０００８】
表一から分かるように、このような状況において、画素電極の共通電極に対する電圧差は、１Ｖから５Ｖの間で推移する。つまり、正極性の駆動時間内に液晶に生じる電圧は１Ｖであり、負極性の時間内に液晶に生じる電圧は５Ｖである。正、負極性の駆動時間内に液晶に生じる電圧差が大きすぎ、しかも常に正極性であるため、相殺することができない。そのため、長時間駆動した後、前記のような点、つまり同じような残留ＤＣの電荷が残り、それにより３Ｄ焼き付き現象を引き起こしてしまう。
【０００９】
３Ｄ焼き付き現象が発生するのを防ぐために、現存する技術では、ダブルフレームの映像極性反転による駆動方法を採用して、映像データ信号の正負極性を変える方式がよくとられる。データ信号の極性が、二つのフレームごとに一回反転するため、画素電極の電圧及び前記電圧と共通の電極電圧の値の差の推移状況は、下の表２に示す通りとなる。
【００１０】
【表２】
0006488381.tif 000003
【００１１】
表２から分かるように、このような状況で、画素電極の共通電極に対する電圧差は、１Ｖ→−５Ｖ→−１Ｖ→５Ｖの間で繰り返し循環している。すなわち、正極性駆動の時間内に液晶に生じる電圧は、１Ｖと−５Ｖであり、負極性駆動の時間内に液晶に生じる電圧は−１Ｖと５Ｖである。正、負極性駆動時間内に画素電極の共通電極に対する電圧差は、お互いに埋め合わせるため、焼き付き現象は生じない。しかし、このような状況でも左右の目の輝度不均衡の問題が発生する。特に、電荷共有技術（ＬＣＳ）を用いて色ズレの現象を改善した液晶表示パネルにおいて、このような現象が際立って多い。この原因は、大視野角の色ズレ現象を改善するために、液晶表示パネル内の画素単位の画素電極を、通常メイン領域（Ｍａｉｎ）及びサブ領域（Ｓｕｂ）の二つの部分に分け、さらに、共有コンデンサを設置し、制御信号の作用によりメイン領域及びサブ領域の電荷を新たに分けることによって、メイン領域及びサブ領域の電圧が変わるからである。共有コンデンサは、電荷を蓄える機能があるため、共有コンデンサが、新しい映像の間に得る電荷と、その前の映像の間蓄えた電荷極性が同じである時、電荷蓄積効果によって、新しい映像は比較的明るくなる。反対に、共有コンデンサが、新しい映像の間に得る電荷と、その前の映像の間に蓄えた電荷極性が異なる時、電荷を相殺し合うため、新しい映像は比較的暗くなる。ゆえに、同じデータ信号（例えば下の表三内の入力信号Ｌ２５５）を入力し、二つの映像極性反転の駆動方式によって動かす液晶表示パネルが出力する左目の映像の輝度は、絶えず右目の映像の輝度より低い。
【００１２】
【表３】
0006488381.tif 000004
【００１３】
前記の問題について、本発明の発明者は度重なる実験と研究を経たうえで、左右の目の輝度差を改善できる新たな配列基板及び液晶表示パネル及びその駆動方法を提出する。
【発明の概要】
【発明が解決しようとする課題】
【００１４】
前記の理由に基づき、本発明は、２Ｄ走査モードにおいて大視野角の色ズレ現象を解決できるとともに、３Ｄモードにおいて左右の目の輝度差の問題も解決できる、新たな配列基板と液晶表示パネル、及びその駆動方法を提供することを目的とする。
【課題を解決するための手段】
【００１５】
本発明の配列基板は、
複数本の走査線と、
複数本のデータ線と、
複数の画素単位と、からなる配列基板であって、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
２Ｄ走査モードにおいて、前記スイッチ１制御信号及びスイッチ２制御信号は、持続したハイレベル信号であり、
３Ｄ走査モードにおいて、前記スイッチ１制御信号及びスイッチ２制御信号は同期するとともに、それぞれ奇数パルス列信号と偶数パルス列信号とであり、且つ前記奇数／偶数パルス列信号のパルス幅は、前記走査信号の長さのＮ−１倍に等しい
ことを特徴とする。
【００１６】
本発明の配列基板は、
複数本の走査線と、
複数本のデータ線と、
複数の画素単位と、からなる配列基板であって、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
２Ｄ走査モードにおいて、前記スイッチ１制御信号及びスイッチ２制御信号は、持続したハイレベル信号であり、
３Ｄ走査モードにおいて、前記スイッチ１制御信号及びスイッチ２制御信号は同期するとともに、極性の異なるパルス列信号であり、且つ前記パルス列信号のパルス幅は、前記走査信号の長さと等しく、同時に、Ｎが奇数／偶数であれば、前記スイッチ１制御信号は偶数／奇数パルス列信号である
ことを特徴とする。
【００１７】
本発明では、
前記補助制御スイッチは、ファンアウト領域に設けられる
ことが好ましい。
【００１８】
本発明では、
前記メイン領域制御スイッチと、前記サブ領域制御スイッチと、前記共有制御スイッチと、前記補助制御スイッチと、はいずれも薄膜トランジスタスイッチである
ことが好ましい。
【００１９】
本発明の液晶表示パネルは、前記配列基板を具備する。
【００２０】
本発明の液晶表示パネルの駆動方法は、
配列基板を具備した液晶表示パネルの駆動方法であって、
前記配列基板は、複数本の走査線と、
複数本のデータ線と、
複数の画素単位と、からなり、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
当該液晶表示パネルの駆動方法は、
２Ｄ走査モードにおいて、前記スイッチ１制御信号及びスイッチ２制御信号は、持続したハイレベル信号とし、
３Ｄ走査モードにおいて、前記スイッチ１制御信号及びスイッチ２制御信号は同期するとともに、それぞれ奇数パルス列信号と偶数パルス列信号とであり、且つ前記奇数／偶数パルス列信号のパルス幅は、前記走査信号の長さのＮ−１倍に等しい
ことを特徴とする。
【００２１】
本発明の液晶表示パネルの駆動方法は、
配列基板を具備した液晶表示パネルの駆動方法であって、
前記配列基板は、
複数本の走査線と、
複数本のデータ線と、
複数の画素単位と、からなり、
前記画素単位は、複数本の走査線と複数本のデータ線が交錯してなる配列内に配置され、且つ一本の前記走査線及び一本の前記データ線に対応し、さらに、
前記各画素単位は、
メイン領域と、
サブ領域と、
共有コンデンサと、からなり、
前記メイン領域はメイン領域電極からなり、前記メイン領域電極は、メイン領域制御スイッチによって対応するデータ線に接続され、前記メイン領域制御スイッチの制御端は対応する走査線に接続され、前記走査線に走査信号がある時、前記データ線のデータ信号を受信して当該メイン領域に電圧を生じさせ、
前記サブ領域はサブ領域電極からなり、前記サブ領域電極は、サブ領域制御スイッチによって対応するデータ線に接続され、前記サブ領域制御スイッチの制御端は対応する走査線に接続され、前記走査線に走査信号がある時、前記データ線のデータ信号を受信して当該サブ領域に電圧を生じさせ、
前記共有コンデンサは、共有制御スイッチによって、前記サブ領域電極に接続され、
前記共有制御スイッチの制御端は、前記各走査線に対応して平行に配線された補助線に接続され、
前記補助線ごとに対応する一つの補助制御スイッチが設けられ、
前記各補助線はそれぞれ対応する一の前記補助制御スイッチの一端に接続され、かつ、前記補助制御スイッチの他端が本画素単位から走査方向に沿って配列されたＮ個目の画素単位に対応する走査線と接続され、
走査方向に沿って、各Ｎ−１本の走査線に対応する画素単位が対応する前記補助制御スイッチを一組とし、
その内、奇数番目の組の前記補助制御スイッチの制御端を一本のスイッチ１制御線に接続してスイッチ１制御信号を受信するとともに、その作用によって導通または非導通にし、さらに、
偶数番目組の前記補助制御スイッチの制御端を一本のスイッチ２制御線に接続してスイッチ２制御信号を受信するとともに、その作用によって導通または非導通にし、
当該液晶表示パネルの駆動方法は、
２Ｄ走査モードにおいて、前記スイッチ１制御信号及びスイッチ２制御信号は、持続したハイレベル信号とし、
３Ｄ走査モードにおいて、前記スイッチ１制御信号及びスイッチ２制御信号は同期するとともに、極性の異なるパルス列信号であり、且つ前記パルス列信号のパルス幅は、前記走査信号の長さと等しく、同時に、Ｎが奇数／偶数であれば、前記スイッチ１制御信号は偶数／奇数パルス列信号である
ことを特徴とする。
【図面の簡単な説明】
【００２２】
【図１】本発明における配列基板の一部の等価回路図である。
【図２Ａ】本発明の実施例一の２Ｄ走査モードにおける順序制御信号図である。
【図２Ｂ】本発明の実施例一の３Ｄ走査モードにおける順序制御信号図である。
【図３Ａ】本発明の実施例二の２Ｄ走査モードにおける順序制御信号図である。
【図３Ｂ】本発明の実施例二のＮが奇数である時３Ｄ走査モードにおける順序制御信号図である。
【図３Ｃ】本発明の実施例二のＮが偶数である時３Ｄ走査モードにおける順序制御信号図である。
【発明を実施するための形態】
【００２３】
前記の目的を達成するため、本発明は、新たな配列基板と液晶表示パネル及びその駆動方法を提供する。
【００２４】
前記配列基板は、複数本の走査線及び複数本のデータ線と、複数の画素単位と、からなる。
【００２５】
前記画素単位は、複数本の走査線及び複数本のデータ線が交錯してなる配列内に配置され、且つ一本の走査線及び一本のデータ線に対応する。また、前記画素単位は、メイン領域電極と、サブ領域電極と、共有コンデンサと、からなる。
【００２６】
メイン領域電極は、メイン領域制御スイッチによって、対応するデータ線に接続され、メイン領域の制御スイッチの制御端は、対応する走査線に接続され、それにより、前記走査線に走査信号がある時、前記データ線のデータ信号を受信し、メイン領域電圧を生じさせる。
【００２７】
サブ領域の電極は、サブ領域制御スイッチによって、対応するデータ線に接続され、サブ領域の制御スイッチの制御端は、対応する走査線に接続され、それにより、前記走査線に走査信号がある時、前記データ線のデータ信号を受信し、サブ領域電圧を生じさせる。
【００２８】
共有コンデンサは、共有制御スイッチによって、サブ領域の電極に接続されるとともに、共有制御スイッチの制御端は、一つの補助制御スイッチを介して、本画素単位から走査方向に沿って配列されたＮ個目の画素単位に対応する走査線と接続される。
【００２９】
その内、補助制御スイッチは、受信する制御信号に基づき、２Ｄ走査モードにおいて、接続している走査線に走査信号がある場合には導通し、それにより、電荷共有機能がオンになり、３Ｄ走査モードにおいて、接続している走査線に走査信号がある時には非導通状態になり、それにより、電荷共有機能がオフになるという機能を持つ
【００３０】
本発明の目的と技術考案、及び得られる技術効果について、以下では、具体的な実施例及び図を示して、本発明についてさらに詳しく説明する。
【００３１】
（実施例一）
図１は、本発明が提供する配列基板の一部の等価回路図である。前記配列基板は、映像ディスプレイ領域ＡＡ及びファンアウト領域Ｆａｎｏｕｔ（図示せず）からなる。その内、映像ディスプレイ領域ＡＡは、複数本の共通電極と、複数本の走査線及び複数本のデータ線と、複数本の走査線及び複数本のデータ線が交錯して形成される画素アレイ内に配置された複数の画素単位と、からなる。各画素単位の構造は同じであり、メイン領域電極（Ｍａｉｎ）及びサブ領域電極（Ｓｕｂ）を備えているとともに、一本の走査線及び一本のデータ線に対応し、且つ、電荷共有する共有コンデンサＣｓｈａｒｅにおいて用いられる。以下では、一本目の走査線Ｇａｔｅ＿１及びＭ本目のデータ線Ｄａｔａ＿Ｍに対応する画素単位Ｐ１Ｍを例として、本発明における配列基板の画素単位の構造について詳しく説明する。
【００３２】
メイン領域電極（Ｍａｉｎ）には、メイン領域制御スイッチＴＦＴ＿Ａが配置される。前記メイン領域制御スイッチＴＦＴ＿Ａの第一端は、対応するデータ線Ｄａｔａ＿Ｍに接続され、第二端は、メイン領域電極に接続され、制御端は、対応する走査線Ｇａｔｅ＿１に接続される。メイン領域制御スイッチＴＦＴ＿Ａの制御端が、走査線Ｇａｔｅ＿１を介して走査駆動回路からの走査信号を受信した時、メイン領域制御スイッチＴＦＴ＿Ａの第一端と第二端が導通し、それにより、データ線Ｄａｔａ＿Ｍ上におけるデータ駆動回路からのデータ信号をメイン領域電極へと伝える。同時に、メイン領域電極とカラーフィルタ基板の共通電極ＣＦ＿ｃｏｍの間にカップリング形成されるメイン領域液晶コンデンサＣｌｃ＿Ａと、メイン領域電極と配列基板の共通電極Ａ＿ｃｏｍの間にカップリング形成されるメイン領域メモリコンデンサＣｓｔ＿Ａは、データ信号の作用により充電を開始し、それにより、メイン領域電極は、一定のメイン領域電圧を保持できる。
【００３３】
サブ領域電極（Ｓｕｂ）には、サブ領域制御スイッチＴＦＴ＿Ｂが配置される。前記サブ領域制御スイッチＴＦＴ＿Ｂの第一端は、対応するデータ線Ｄａｔａ＿Ｍに接続され、第二端は、サブ領域電極に接続され、制御端は、対応する第一走査線Ｇａｔｅ＿１に接続される。サブ領域制御スイッチＴＦＴ＿Ｂの制御端が、走査線Ｇａｔｅ＿１を介して走査駆動回路からの走査信号を受信した時、サブ領域制御スイッチＴＦＴ＿Ｂの第一端と第二端が導通し、それにより、データ線Ｄａｔａ＿Ｍ上におけるデータ駆動回路からのデータ信号をサブ領域電極へと伝える。同時に、サブ領域電極とカラーフィルタ基板の共通電極ＣＦ＿ｃｏｍの間にカップリング形成されるサブ領域液晶コンデンサＣｌｃ＿Ｂと、サブ領域電極と配列基板の共通電極Ａ＿ｃｏｍの間にカップリング形成されるサブ領域メモリコンデンサＣｓｔ＿Ｂは、データ信号の作用により充電を開始し、それにより、サブ領域電極は、一定のサブ領域電圧を保持できる。
【００３４】
共有コンデンサＣｓｈａｒｅには、共有制御スイッチＴＦＴ＿Ｃが配置される。前記共有制御スイッチＴＦＴ＿Ｃの第一端は、サブ領域電極に接続され、第二端は、共有コンデンサＣｓｈａｒｅの一つの電極に接続され、共有コンデンサＣｓｈａｒｅのもう一つの電極は、配列基板の共通電極Ａ＿ｃｏｍに接続される。前記共有制御スイッチＴＦＴ＿Ｃの制御端は、一つの補助制御スイッチＴＦＴ＿１を介して、本画素単位から走査方向に沿って並んだＮ個目の画素単位に対応する走査線Ｇａｔｅ＿Ｎと接続される。
【００３５】
説明が必要なのは、本実施例において、配列基板に設置された補助制御スイッチの数と走査線の数とは一致し、さらに、各補助制御スイッチに一列の画素単位が対応することである。本実施例のすべての補助制御スイッチは、配列基板のファンアウト領域に配置されるのが好ましい。さらに、接続しやすいように、配列基板に、走査線にそれぞれ対応する補助線を配置するのが好ましい。具体的に、図１が示すように、配列基板に、走査線Ｇａｔｅ＿１、Ｇａｔｅ＿２、Ｇａｔｅ＿３……とそれぞれ対応する補助線Ｇａｔｅ＿Ｓｈａｒｅ＿１、Ｇａｔｅ＿Ｓｈａｒｅ＿２、Ｇａｔｅ＿Ｓｈａｒｅ＿３……を走査方向に配置する。一本目の走査線Ｇａｔｅ＿１に対応する画素単位内の共有制御スイッチの制御端は、一本目の補助線Ｇａｔｅ＿Ｓｈａｒｅ＿１に接続され、補助制御スイッチＴＦＴ＿１の一方の端は、一本目の補助線Ｇａｔｅ＿Ｓｈａｒｅ＿１に接続され、他端は、Ｎ本目の走査線Ｇａｔｅ＿Ｎに接続される。二本目の走査線Ｇａｔｅ＿２に対応する画素単位内の共有制御スイッチの制御端は、二本目の補助線Ｇａｔｅ＿Ｓｈａｒｅ＿２に接続され、補助制御スイッチＴＦＴ＿２の一方の端は、二本目の補助線Ｇａｔｅ＿Ｓｈａｒｅ＿２に接続され、他端は、Ｎ＋１本目の走査線Ｇａｔｅ＿Ｎ＋１にされる。三本目の走査線Ｇａｔｅ＿３に対応する画素単位内の共有制御スイッチの制御端は、三本目の補助線Ｇａｔｅ＿Ｓｈａｒｅ＿３に接続され、補助制御スイッチＴＦＴ＿３の一方の端は、三本目の補助線Ｇａｔｅ＿Ｓｈａｒｅ＿３に接続され、他端は、Ｎ＋２本目の走査線Ｇａｔｅ＿Ｎ＋２に接続され……以下同様である。当然、実際に応用する時、配線の方法は様々であってよく、これに限られない。
【００３６】
前記メイン領域制御スイッチと、サブ領域制御スイッチと、共有制御スイッチと、補助制御スイッチは、いずれも薄膜トランジスタスイッチである。
【００３７】
２Ｄ走査モードにおいて電荷共有機能を維持することで大きな視野角の色ズレを解決し、さらに、３Ｄ走査モードにおいて電荷共有機能をオフにすることで左右の目の輝度差を改善するという目的を達成するため、本発明は、以下の手順を提出する。
【００３８】
２Ｄ走査モードにおいて、各補助制御スイッチは、その接続している走査線に走査信号がある時、導通する。
【００３９】
３Ｄ走査モードにおいて、各補助制御スイッチは、その接続している走査線に走査信号がある時、オフにする。
【００４０】
ここで、本発明の発明者は、前記手順の実施方式を提出する。すなわち、走査方向に沿って、各（Ｎ−１）本の走査線に対応する画素単位が対応する補助制御スイッチを一組としてまとめる。その内、奇数番目組の補助制御スイッチの制御端は、スイッチ１制御線に接続され、スイッチ１の制御信号を受信することで、その作用により導通または非導通にさせる。また、偶数番目組の補助制御スイッチの制御端は、スイッチ２制御線に接続され、スイッチ２制御信号を受信することで、その作用により導通または非導通にさせる。
【００４１】
以下では、Ｎ＝３を例として説明する。
【００４２】
走査方向に沿って、二つの補助制御スイッチを一組としてまとめる。補助制御スイッチＴＦＴ＿１及びＴＦＴ＿２を第一組とし、補助制御スイッチＴＦＴ＿３及びＴＦＴ＿４を第二組とし、補助制御スイッチＴＦＴ＿５及びＴＦＴ＿６を第三組とし、補助制御スイッチＴＦＴ＿７及びＴＦＴ＿８を第四組とし……以下同様である。その内、第一組、第三組、第五組……奇数番目組の補助制御スイッチの制御端は、スイッチ１制御線Ｌｉｎｅ＿１に接続し、スイッチ１制御信号ＳＷ１を受信する。第二組、第四組、第六組……偶数番目組の補助制御スイッチの制御端は、スイッチ２制御線Ｌｉｎｅ＿２に接続し、スイッチ２制御信号ＳＷ２を受信する。
【００４３】
図２Ａに示すように、２Ｄ走査モードにおいて、スイッチ１制御信号ＳＷ１及びスイッチ２制御信号ＳＷ２は、いずれも、持続するハイレベル信号である。従って、すべての補助制御スイッチが走査している間、持続した導通状態を維持することができ、接続している走査線に走査信号が入力している時、導通を維持する。それゆえ、２Ｄ走査モードにおいて、一本の走査線に走査信号がある時、前記走査線に対応する画素単位内のメイン領域制御スイッチ及びサブ領域制御スイッチを導通させ、データ線のデータ信号の作用により、メイン領域電極及びサブ領域電極が同じ電圧になるようにする。同時に、前記走査線に接続した補助制御スイッチは、導通を維持するため、対応する画素単位の共有制御スイッチの制御端まで、前記走査線の走査信号を送ることができ、それゆえ、対応する画素単位の電荷共有機能を可能にし、色ズレ現象を改善できる。
【００４４】
図２Ｂに示すように、３Ｄ走査モードにおいて、スイッチ１制御信号ＳＷ１及びスイッチ２制御信号ＳＷ２は同期するとともに、それぞれ、奇数パルス列信号及び偶数パルス列信号であり、且つ前記パルス列信号のパルス幅は、前記走査信号の長さの（Ｎ−１）倍に等しい。本実施例において、パルス幅は２Ｔであり、Ｔは、走査信号の長さである。図２Ｂから分かるように、走査方向に沿って、三本目の走査線Ｇａｔｅ＿３にハイレベルの走査信号を入力した時、三本目の走査線Ｇａｔｅ＿３に接続した補助制御スイッチＴＦＴ＿１の制御端が受信する第一制御信号ＳＷ１は、ローレベルであるゆえに、補助制御スイッチＴＦＴ＿１を非導通にさせる。四本目の走査線Ｇａｔｅ＿４にハイレベルの走査信号を入力した時、四本目の走査線Ｇａｔｅ＿４に接続した補助制御スイッチＴＦＴ＿２の制御端が受信する第一制御信号ＳＷ１は、ローレベルであるゆえに、補助制御スイッチＴＦＴ＿２を非導通にさせる。五本目の走査線Ｇａｔｅ＿５にハイレベルの走査信号を入力した時、五本目の走査線Ｇａｔｅ＿５に接続した補助制御スイッチＴＦＴ＿３の制御端が受信する第二制御信号ＳＷ２は、ローレベルであるゆえに、補助制御スイッチＴＦＴ＿５が非導通になる……以下同様である。
このような順序に基づき制御する方式は、各走査線に走査信号が入力されている時、その接続している補助制御スイッチは、制御端がローレベルの制御信号（ＳＷ１またはＳＷ２）を受信するために非導通になり、接続した走査線に走査信号がある時に非導通になる。
よって、３Ｄ走査モードにおいて、一つの走査線に走査信号がある時、前記走査線に対応する画素単位内のメイン領域制御スイッチ及びサブ領域制御スイッチを導通させるだけで、メイン領域電極及びサブ領域電極のデータ線におけるデータ信号の作用のもと同じ電圧が生じる。
【００４５】
（実施例二）
また、本発明の発明者は、さらに別の一つの実施方式を提出する。まず、補助制御スイッチを二組に分ける。奇数番目走査線に対応する画素単位に対応する補助制御スイッチが一組であり、略して奇数組である。偶数番目走査線に対応する画素単位に対応する補助制御スイッチがもう一組であり、略して偶数組である。奇数組の補助制御スイッチの制御端をスイッチ１制御線に接合させて、スイッチ１制御信号を受信させ、さらに、その作用により導通または非導通にさせる。偶数組の補助制御スイッチの制御端をスイッチ２制御線に接合させて、スイッチ２制御信号を受信させ、さらに、その作用により導通または非導通にさせる。
【００４６】
具体的に、走査方向に沿って、奇数走査線Ｇａｔｅ＿１、Ｇａｔｅ＿３、Ｇａｔｅ＿５……に対応する画素単位が対応する補助制御スイッチＴＦＴ＿１、ＴＦＴ＿３、ＴＦＴ＿５……の制御端をスイッチ１制御線Ｌｉｎｅ＿１に接合させ、スイッチ１制御信号ＳＷ１を受信させるとともに、その作用により導通または非導通にさせる。偶数走査線Ｇａｔｅ＿２、Ｇａｔｅ＿４、Ｇａｔｅ＿６……に対応する画素単位が対応する補助制御スイッチＴＦＴ＿２、ＴＦＴ＿４、ＴＦＴ＿６……の制御端をスイッチ２制御線Ｌｉｎｅ＿２に接合し、スイッチ２制御信号ＳＷ２を受信させるとともに、その作用により導通または非導通にさせる。
【００４７】
図３Ａが示すように、実施例一と同じく、本実施例は、２Ｄ走査モードにおいて、スイッチ１制御信号ＳＷ１及びスイッチ２制御信号ＳＷ２はいずれも連続したハイレベル信号であり、それゆえ、すべての補助制御スイッチは、走査中連続した導通状態を維持でき、補助スイッチは、接続している走査線に走査信号がある時導通する。
【００４８】
実施例一と異なるのは、本実施例は、３Ｄ走査モードにおいて、スイッチ１制御信号ＳＷ１及びスイッチ２制御信号ＳＷ２は、同期するが、極性が反対のパルス列信号であり、且つパルス列信号のパルス幅は、走査信号の長さと等しい、という点である。さらに、Ｎが奇数であれば、スイッチ１制御信号ＳＷ１は偶数パルス列信号であり、スイッチ２制御信号ＳＷ２は奇数パルス列信号である。Ｎが偶数であれば、スイッチ１制御信号ＳＷ１は奇数パルス列信号であり、スイッチ２制御信号ＳＷ２は偶数パルス列信号である。
【００４９】
Ｎ＝３を例として示す。図３Ｂが示すように、スイッチ１制御信号ＳＷ１は偶数パルス列信号であり、スイッチ２制御信号ＳＷ２は奇数パルス列信号である。走査方向に沿って、三本目の走査線Ｇａｔｅ＿３にハイレベルの走査信号を入力する時、三本目の走査線Ｇａｔｅ＿３に接続した補助制御スイッチＴＦＴ＿１の制御端が受信する第一制御信号ＳＷ１はローレベルであり、それゆえ、補助制御スイッチＴＦＴ＿１は非導通になる。四本目の走査線Ｇａｔｅ＿４にハイレベルの走査信号を入力する時、四本目の走査線Ｇａｔｅ＿４に接続した補助制御スイッチＴＦＴ＿２の制御端が受信する第二制御信号ＳＷ２はローレベルであり、それゆえ、補助制御スイッチＴＦＴ＿２は非導通になる……以下同様である。このような順序での制御方式に基づき、一つの走査線に走査信号がある時、その接続している補助制御スイッチは、制御端がローレベルの制御信号（ＳＷ１またはＳＷ２）を受信するため非導通にし、補助制御スイッチは、接続している走査線に走査信号がある時に非導通になる。
【００５０】
Ｎ＝４を例として示す。図３Ｃが示すように、スイッチ１制御信号ＳＷ１は奇数のパルス列信号であり、スイッチ２制御信号ＳＷ２は偶数のパルス列信号である。走査方向に沿って、四本目の走査線Ｇａｔｅ＿４にハイレベルの走査信号を入力した時、四本目の走査線Ｇａｔｅ＿４に接続している補助制御スイッチＴＦＴ＿１の制御端が受信する第一制御信号ＳＷ１は、ローレベルであり、それゆえ、補助制御スイッチＴＦＴ＿１は、非導通になる。五本目の走査線Ｇａｔｅ＿５にハイレベルの走査信号を入力した時、五本目の走査線Ｇａｔｅ＿５に接続している補助制御スイッチＴＦＴ＿２の制御端が受信する第二制御信号ＳＷ２は、ローレベルであり、それゆえ、補助制御スイッチＴＦＴ＿２は非導通になる……以下同様である。このような順序の制御方式に基づき、一つの走査線に走査信号がある時、接続している補助制御スイッチは、制御端がローレベルの制御信号（ＳＷ１またはＳＷ２）を受信するため非導通になり、補助制御スイッチは、接続している走査線に走査信号がある時に非導通になる。
【００５１】
本発明が指摘する上記の実施方式における内容は、本発明が採用する実施方式について理解しやすくするためのものに過ぎず、本発明を限定するものではない。本発明に関する技術領域の技術者は、本発明が示す精神及び範囲を逸脱しない範囲で、実施の形式的なまた詳細なあらゆる修正及び変更ができるが、本発明の特許保護範囲は、付属の特許請求の範囲の定める範囲に準ずる。
【符号の説明】
【００５２】
Ｃｓｈａｒｅ    共有コンデンサ
Ｇａｔｅ＿１    走査線
Ｇａｔｅ＿２    走査線
Ｇａｔｅ＿３    走査線
Ｇａｔｅ＿４    走査線
Ｇａｔｅ＿５    走査線
Ｇａｔｅ＿６    走査線
Ｇａｔｅ＿Ｎ    走査線
Ｇａｔｅ＿Ｎ＋１    走査線
Ｇａｔｅ＿Ｎ＋２    走査線
Ｄａｔａ＿Ｍ    データ線
ＴＦＴ＿Ａ    メイン領域制御スイッチ
ＴＦＴ＿Ｂ    サブ領域制御スイッチ
ＴＦＴ＿Ｃ    共有制御スイッチ
ＴＦＴ＿１    補助制御スイッチ
ＴＦＴ＿２    補助制御スイッチ
ＴＦＴ＿３    補助制御スイッチ
ＴＦＴ＿４    補助制御スイッチ
ＴＦＴ＿５    補助制御スイッチ
ＴＦＴ＿６    補助制御スイッチ
ＴＦＴ＿７    補助制御スイッチ
ＴＦＴ＿８    補助制御スイッチ
ＣＦ＿ｃｏｍ    カラーフィルタ基板の共通電極
Ｃｌｃ＿Ａ    メイン領域液晶コンデンサ
Ｃｌｃ＿Ｂ    サブ領域液晶コンデンサ
Ａ＿ｃｏｍ    メイン領域電極及び配列基板の共通電極
Ｃｓｔ＿Ａ    メイン領域メモリコンデンサ
Ｃｓｔ＿Ｂ    サブ領域メモリコンデンサ
Ｇａｔｅ＿Ｓｈａｒｅ＿１    補助線
Ｇａｔｅ＿Ｓｈａｒｅ＿２    補助線
Ｇａｔｅ＿Ｓｈａｒｅ＿３    補助線
ＳＷ１    スイッチ１制御信号
ＳＷ２    スイッチ２制御信号
Ｌｉｎｅ＿１    スイッチ１制御線
Ｌｉｎｅ＿２    スイッチ２制御線
【図１】
0006488381.tif 000005
【図２Ａ】
0006488381.tif 000006
【図２Ｂ】
0006488381.tif 000007
【図３Ａ】
0006488381.tif 000008
【図３Ｂ】
0006488381.tif 000009
【図３Ｃ】
0006488381.tif 000010